(57)【要約】      （修正有）【課題】印面を覆うキャップの開閉を制御するロック機構を誤動作がなく確実に操作できるようにした印鑑付筆記具を提供する。【解決手段】筆記具本体１の後端部に印鑑２０を装着し、この印鑑２０の印面を覆うキャップ３をクリップ２の軸方向の摺動により開閉自在とした印鑑付筆記具であって、前記クリップ２にキャップ３の回動を制御するロック片４を装着し、前記キャップ３とロック片４との間には一端がキャップ側に当接され、他端が前記ロック片に当接されてキャップ３に対し常に閉方向に付勢するねじりバネ５を装着するとともに、前記ねじりバネ５の他端側先端を折り曲げて形成された屈曲部と、ロック片４に形成された突起とを係脱自在として、この屈曲部と突起の係脱により前記クリップ２の摺動をロックする状態とフリーにする状態の二態様を採るようにした。【選択図】図２
2019142138.tif 000002
【特許請求の範囲】
【請求項１】
筆記具本体の後端部に印鑑を装着し、この印鑑の印面を覆うキャップをクリップの軸方向の摺動により開閉自在とした印鑑付筆記具であって、
前記クリップに、摺動させる事で前記キャップに係合し、前記キャップの回動をロックする状態と、前記キャップの回動を自在とする状態の二態様を採るロック片を装着し、
前記キャップとロック片との間には一端がキャップ側に当接され、他端が前記ロック片に当接されてキャップに対し常に閉方向に付勢するねじりバネを装着するとともに、
前記ねじりバネの他端側先端を折り曲げて形成された屈曲部と、ロック片に形成された突起とを係脱自在として、
この屈曲部と突起の係脱により、前記ロック片の摺動を制御する事で、前記クリップの摺動をロックする状態とフリーにする状態の二態様を採るようにしたことを特徴とする印鑑付筆記具。
【請求項２】
ロック片は、上片部と下片部を有する断面コ字状のものであり、前記下片部にはねじりバネの屈曲部を係脱する突起が形成され、上片部には摘み部が形成されている請求項１に記載の印鑑付筆記具。
【請求項３】
ロック片の上片部の先端周辺部が、キャップの回転軸の基部にある段部に係合してキャップの回動をロックする状態と、段部との係合を外してキャップの回動を自在とする状態の二態様を採る構造となっている請求項１または２に記載の印鑑付筆記具。
【発明の詳細な説明】
【技術分野】
【０００１】
本発明は、印面を覆うキャップの開閉を制御するロック機構を誤動作がなく確実に操作できるようにした印鑑付筆記具に関するものである。
【背景技術】
【０００２】
従来から、ボールペン等の筆記具の後端部に印鑑を組み込んで筆記具と印鑑の二役を果たすようにした印鑑付筆記具が広く利用されている。このような印鑑付筆記具では、ポケットや筆箱等に入れているときに印面が露出すると、周辺にインキが付着するという問題があった。そこで、印鑑を使用する以外は印面を覆うキャップを閉じた状態とするロック機構を取り付けたものが提案されている。
【０００３】
本件出願人も、クリップの摺動移動により印面を覆うキャップの開閉を行うようにした印鑑において、前記キャップの開閉を制御するロック機構を設けたものを開発し、先に特許出願をしている（例えば、特許文献１や特許文献２を参照）。
【０００４】
しかしながら、前記特許文献に示すものでは、ロック機構のロック状態をロックボタンを押して解除した後、クリップを摺動移動させて印面を露出する構造であり、ロックボタンに加えて該ロックボタンに係脱するスライド部材を別途設ける必要があるため、構造が複雑になり部品点数も増えるという問題があった。また、ロック解除時において、常にロック片がバネに付勢された状態であるため、前記ロック片の摩耗が激しくて短時間でロック手段が破損してしまうという問題もあった。
【先行技術文献】
【特許文献】
【０００５】
【特許文献１】特開平９−３９３５３号公報
【特許文献２】特許第５１００５３１号公報
【発明の概要】
【発明が解決しようとする課題】
【０００６】
本発明は上記のような従来の問題点を解決して、印面を覆うキャップの開閉を制御するロック機構を簡単な構造とすることができとともに、ロック機構の誤動作がなく確実に操作することができ、また、ロック片の摩耗もなく耐久性に優れている印鑑付筆記具を提供することを目的とするものである。
【課題を解決するための手段】
【０００７】
上記課題を解決するためになされた本発明の印鑑付筆記具は、筆記具本体の後端部に印鑑を装着し、この印鑑の印面を覆うキャップをクリップの軸方向の摺動により開閉自在とした印鑑付筆記具であって、
前記クリップに、摺動させる事で前記キャップに係合し、前記キャップの回動をロックする状態と、前記キャップの回動を自在とする状態の二態様を採るロック片を装着し、
前記キャップとロック片との間には一端がキャップ側に当接され、他端が前記ロック片に当接されてキャップに対し常に閉方向に付勢するねじりバネを装着するとともに、
前記ねじりバネの他端側先端を折り曲げて形成された屈曲部と、ロック片に形成された突起とを係脱自在として、
この屈曲部と突起の係脱により、前記ロック片の摺動を制御する事で、前記クリップの摺動をロックする状態とフリーにする状態の二態様を採るようにしたことを特徴とするものであり、これを請求項１に係る発明とする。
【０００８】
好ましい実施形態によれば、前記ロック片は、上片部と下片部を有する断面コ字状のものであり、前記下片部にはねじりバネの屈曲部を係脱する突起が形成され、上片部には摘み部が形成されているものが好ましく、これを請求項２に係る発明とする。
【０００９】
また、その他の好ましい実施形態によれば、前記ロック片の上片部の先端周辺部が、キャップの回転軸の基部にある段部に係合してキャップの回動をロックする状態と、段部との係合を外してキャップの回動を自在とする状態の二態様を採る構造となっているものが好ましく、これを請求項３に係る発明とする。
【発明の効果】
【００１０】
請求項１に係る発明では、筆記具本体の後端部に印鑑を装着し、この印鑑の印面を覆うキャップをクリップの軸方向の摺動により開閉自在とした印鑑付筆記具であって、前記クリップに、摺動させる事で前記キャップに係合し、前記キャップの回動をロックする状態と、前記キャップの回動を自在とする状態の二態様を採るロック片を装着し、前記キャップとロック片との間には一端がキャップ側に当接され、他端が前記ロック片に当接されてキャップに対し常に閉方向に付勢するねじりバネを装着するとともに、前記ねじりバネの他端側先端を折り曲げて形成された屈曲部と、ロック片に形成された突起とを係脱自在として、この屈曲部と突起の係脱により、前記ロック片の摺動を制御する事で、前記クリップの摺動をロックする状態とフリーにする状態の二態様を採るようにしたので、ロック機構を簡単な構造とすることができ、またロック状態とその解除を節度感よく行えるので誤動作がなく確実に操作することができ、更には、前記ねじりバネの弾性力により、前記屈曲部は前記ロック片の突起に加わる力を緩和させることができると同時に、ロック解除時には前記屈曲部と前記ロック片は互いに干渉していないため、ロック片の摩耗もなく優れた耐久性を発揮することができる。
【００１１】
また、請求項２に係る発明では、前記ロック片は、上片部と下片部を有する断面コ字状のものであり、前記下片部にはねじりバネの屈曲部を係脱する突起が形成され、上片部には摘み部が形成されているものとしたので、ロック機構を簡単な構造とすることができ、また確実に作動させることができる。
【００１２】
また、請求項３に係る発明では、前記ロック片の上片部の先端周辺部が、キャップの回転軸の基部にある段部に係合してキャップの回動をロックする状態と、段部との係合を外してキャップの回動を自在とする状態の二態様を採る構造となっているものとしたので、キャップの開閉を簡単かつ確実に制御することができ、またロック時におけるキャップの開きを確実に防止することができる。
【図面の簡単な説明】
【００１３】
【図１】本発明の実施の形態を示しロックした状態を示す斜視図である。
【図２】図１の中央縦断面図である。
【図３】本発明の実施の形態を示しロックを解除した状態を示す斜視図である。
【図４】図３の中央縦断面図である。
【図５】本発明の実施の形態を示しキャップを開いた状態を示す斜視図である。
【図６】図５の中央縦断面図である。
【図７】ロック片を示す斜視図である。
【図８】図７のＡ−Ａ断面図である。
【図９】ねじりバネを示す斜視図である。
【図１０】（ａ）はロックした状態を示すねじりバネと突起との関係の説明図、（ｂ）は平面視の説明図である。
【図１１】（ａ）はロックを解除した状態を示すねじりバネと突起との関係の説明図、（ｂ）は平面視の説明図である。
【図１２】（ａ）はロックした状態のロック片の位置関係を示す説明図、（ｂ）はロックを解除した状態のロック片の位置関係を示す説明図、（ｃ）はキャップを開いた状態のロック片の位置関係を示す説明図である。
【発明を実施するための形態】
【００１４】
以下に、図面を参照しつつ本発明の好ましい実施の形態を示す。
図１は本発明の印鑑付筆記具であってロックした状態を示す斜視図であり、図２はその中央縦断面図である。また、図３はロックを解除した状態を示す斜視図、図４は図４の中央縦断面図、図５はキャップを開いた状態を示す斜視図、図６は図５の中央縦断面図である。
【００１５】
図において、１は筆記具本体で、前方の筆記具部１ａと後方の印鑑部１ｂで構成されており、筆記具部１ａの回動によって先端からボールペン等の芯が突出する構造であるが、この突出機構については公知のものを採用することができる。一方、印鑑部１ｂにおいては、クリップ２の軸方向の摺動によりキャップ３が開いて後端から印鑑２０が露出する構造となっている。
【００１６】
前記クリップ２には、摺動を制御するロック片４が装着されている。このロック片４は、誤って印鑑が露出するのを防ぐためにキャップ３の自由な開きを規制して不用意なキャップ３の開きを防止するものである。図７〜図８に示されるように、前記ロック片４は上片部４ａと下片部４ｂを有する断面コ字状のものであり、前記下片部４ｂにはねじりバネの屈曲部を係脱する突起４ｃが形成されており、また上片部４ａには摘み部４ｄが形成された構造となっている。また、前記摘み部４ｄはクリップ２の窓部２ａから突出されて操作可能とされている。
【００１７】
前記キャップ３とロック片４との間には一端がキャップ３側に当接し、他端が前記ロック片４に当接するねじりバネ５が装着されており、このねじりバネ５の弾発力によってキャップ３が常に閉方向に付勢される構造となっている。更に、図９に示されるように、前記ねじりバネ５は、他端側先端をＬ字状に折り曲げて屈曲部５ａが形成されており、前記ロック片４に形成された突起４ｃと係脱自在となるように構成されている。
前記屈曲部５ａは、Ｕ字型や丸型等、任意の形状とすることができる。
【００１８】
図１０に示されるように、前記ねじりバネ５の屈曲部５ａが突起４ｃを乗り越えた状態で係止している場合は、摘み部４ｄの筆記具部１ａ側への移動（ロック片４の左方向への移動）が規制されてロックした状態を保持している。一方、図１１に示されるように、前記ねじりバネ５の弾発力に反してロック片４を左方向へ移動させ、前記屈曲部５ａが突起４ｃを乗り越えた状態とした場合は、ロックが解除されて摘み部４ｄの筆記具部１ａ側への移動が自由な状態となる。
従来技術におけるロック状態の確保・解除については、ロック解除時において、常にロック片がバネに付勢された状態であるため、ロック片の摩耗が激しくロック手段が破損し易いという問題があったが、本発明ではねじりバネ５の屈曲部５ａとロック片４の突起４ｃとの係脱により行う構造としたので、簡単な構造で破損しにくく、また節度感よく確実に作動させることが可能となる。
【００１９】
次に、ロック手段によりキャップ３の回動を規制する機構について説明する。
前記クリップ２はガイドレール６に沿って軸方向へ摺動可能に取り付けられているが、クリップ２が摺動するか否かについては前記ロック手段で規制している。また、前記ロック片４の摘み部４ｄを筆記具本体１の後方側あるいは前方側へスライド移動することにより、上片部４ａの先端周辺部７が、キャップ３の回転軸（図示せず）の基部にある段部８に係合してキャップ３が回動しないようにロックする状態と、前記段部８との係合を外してキャップ３が自由に回動する状態の二態様を採る構造となっている（図１〜図６を参照）。
【００２０】
図１２（ａ）〜（ｃ）により、キャップ３の回動工程の概略を説明する。
図１２（ａ）はロックした状態のロック片４の位置関係を示す説明図であり、ロック片４の摘み部４ｄは筆記具本体１の後方側へスライド移動され、前記ねじりバネ５の屈曲部５ａがロック片４の突起４ｃに係止されてクリップ２の摺動をロックした状態となっている。この時、キャップ３はねじりバネ５の弾発力によって閉方向に付勢された状態である。また、キャップ３の回転軸の基部にある段部８にはロック片４の上片部４ａの先端周辺部７が係合しているので、キャップ３の回動はできない状態となっている。
【００２１】
図１２（ｂ）はロックを解除した状態のロック片４の位置関係を示す説明図であり、ロック片４の摘み部４ｄは筆記具本体１の前方側へスライド移動され、前記ねじりバネ５の屈曲部５ａがロック片４の突起４ｃとの係止が解除されてクリップ２の摺動が可能な状態となっている。また、キャップ３の回転軸の基部にある段部８とロック片４の上片部４ａの先端周辺部７の係合関係は解除されているので、キャップ３の回動が可能な状態となっている。
【００２２】
図１２（ｃ）はキャップを開いた状態のロック片の位置関係を示す説明図であり、クリップ２を図１２（ｂ）に示す位置から更に筆記具本体１の前方側へスライド移動させた状態である。キャップ３の一端はクリップ２に回動自在に連結されているので、クリップ２のスライド移動に従ってキャップ３も筆記具本体１の前方側へ引っ張られ、筆記具本体１の後端を開いた状態とする。この結果、印鑑２０の印面が露出されて押印可能となる。
押印後は、クリップ２を筆記具本体１の後方側へスライド移動して、ねじりバネ５の屈曲部５ａをロック片４の突起４ｃに係止させれば、簡単にクリップ２の摺動をロックした状態に復帰することができる。
【００２３】
以上の説明からも明らかなように、本発明はキャップとロック片との間には一端がキャップ側に当接され、他端が前記ロック片に当接されてキャップに対し常に閉方向に付勢するねじりバネを装着するとともに、前記ねじりバネの他端側先端をＬ字状に折り曲げて形成された屈曲部と、ロック片に形成された突起とを係脱自在として、この屈曲部と突起の係脱により前記クリップの摺動をロックする状態とフリーにする状態の二態様を採るようにしたので、印面を覆うキャップの開閉を制御するロック機構を簡単な構造とすることができとともに、ロック機構の誤動作がなく確実に操作することができ、また、ロック片の摩耗もなく耐久性に優れている印鑑付筆記具を提供することができることとなる。
【符号の説明】
【００２４】
１  筆記具本体
１ａ  筆記具部
１ｂ  印鑑部
２  クリップ
２ａ  窓部
３  キャップ
４  ロック片
４ａ  上片部
４ｂ  下片部
４ｃ  突起
４ｄ  摘み部
５  ねじりバネ
５ａ  屈曲部
６  ガイドレール
７  先端周辺部
８  段部
２０  印鑑
【図１】
2019142138.tif 000003
【図２】
2019142138.tif 000004
【図３】
2019142138.tif 000005
【図４】
2019142138.tif 000006
【図５】
2019142138.tif 000007
【図６】
2019142138.tif 000008
【図７】
2019142138.tif 000009
【図８】
2019142138.tif 000010
【図９】
2019142138.tif 000011
【図１０】
2019142138.tif 000012
【図１１】
2019142138.tif 000013
【図１２】
2019142138.tif 000014